(57)【要約】【課題】記録媒体を確実に機器本体内の所望の位置に案内できる情報処理装置を提供する。【解決手段】情報処理装置としてのＣＤプレーヤ１は機器本体３と機器本体３内にＣＤを出し入れする搬送ユニットと案内部８ａとＣＤに記録された情報を読み出す再生ユニットを備えている。案内部８ａは一対の案内部材１９とコイルばね８０とガイド部８１を備えている。一対の案内部材１９は機器本体３の幅方向Ｘに沿ってスライド自在に設けられ案内ピン２２を備えている。コイルばね８０は案内ピン２２同士が近づく方向に一対の案内部１９を付勢している。ガイド部８１は案内ピン２２の先端部を支持して当該先端部の移動方向を案内する。【選択図】図１６
2008165909.tif 000002
【特許請求の範囲】
【請求項１】
記録媒体を機器本体内に出し入れして、この記録媒体に記録された情報を読み出す情報処理装置において、
前記機器本体に対して変位自在に設けられた案内部材を有して、当該案内部材が前記記録媒体の移動方向を案内する案内部を備え、
前記案内部材は、前記機器本体の一つの内面に変位自在に取り付けられる本体部と、前記本体部から立設して前記記録媒体の外縁と当接する案内ピンと、を備え、
前記機器本体の前記一つの内面と相対する他の内面に設けられて、前記案内ピンの前記本体部から離れた側の先端部を支持して当該先端部の移動方向を案内するガイド部を備えたことを特徴とする情報処理装置。
【請求項２】
前記ガイド部は、前記案内ピンの移動方向に沿って延在したレール部と、前記レール部に移動自在に設けられかつ前記案内ピンの先端部が取り付けられるスライダと、を備えたことを特徴とする請求項１記載の情報処理装置。
【請求項３】
前記案内部は、前記案内部材の前記案内ピン同士を前記機器本体の幅方向に沿って互いに間隔をあけて一対配置し、かつ前記一対の案内部材の案内ピン同士が互いに近づく方向に付勢した付勢手段を備えたことを特徴とする請求項２記載の情報処理装置。
【発明の詳細な説明】
【技術分野】
【０００１】
本発明は、例えば、Compact Discなどの記録媒体から情報を読み出す情報処理装置に関する。
【背景技術】
【０００２】
例えば、移動体としての自動車のインストルメントパネル（以下インパネと呼ぶ）には、情報処理装置としてのＣＤプレーヤ（例えば、特許文献１参照）が取り付けられる。ＣＤプレーヤは、記録媒体としてのCompact Disc（以下ＣＤと呼ぶ）が記録した情報を読み出す。
【０００３】
特許文献１に示されたＣＤプレーヤは、前記インパネに取り付けられる機器本体と、前記機器本体に開口した記録媒体挿入口と、ＣＤを機器本体の内外に出し入れする搬送ユニットと、案内部としてのディスクセンタリング機構と、前記ＣＤに記録された情報を読み出すための再生ユニットと、連動機構等を備えている。機器本体は、複数の板金などが互いに組み付けられて箱状に形成されたシャーシを備えている。記録媒体挿入口は、内側に前記ＣＤが通される。
【０００４】
搬送ユニットは、記録媒体挿入口内を通されたＣＤを所定の再生位置まで搬送したり、前記再生位置からＣＤを記録媒体挿入口まで搬送して該ＣＤを機器本体内から排出する。搬送ユニットは、互いに接離自在に設けられた一対の挟持部材を備えている。
【０００５】
これら一対の挟持部材のうち一方は、モータなどの駆動源によって回転駆動される搬送ローラを備えている。搬送ローラは、前記モータなどの駆動源によって回転駆動されることによって、ＣＤを搬送する。他方の挟持部材は、摩擦係数の小さい滑り部材を備えている。滑り部材は、前記搬送ローラとの間に前記ＣＤを挟んで、該ＣＤの搬送方向を案内する。搬送ユニットは、一対の挟持部材間にＣＤを挟んで、前記ＣＤを搬送する。
【０００６】
ディスクセンタリング機構は、係合孔と、一対の案内部材としてのセンタリングアームと、一対のリンクアームと、連結ピンと、付勢手段としてのコイルばねを備えている。ディスクセンタリング機構は、前記記録媒体挿入口の近傍に配されている。係合孔は、機器本体のシャーシの底板の中央に設けられ、記録媒体挿入口を通して機器本体に出し入れされるＣＤの搬送方向に沿って直線状に延在している。係合孔の中央部には、該係合孔の両内縁から凹に形成されてあたかも係合孔の幅を他の部分よりも広げた凹みが設けられている。
【０００７】
一対のセンタリングアームは、機器本体の幅方向に沿って互いに間隔をあけて配されている。一対のセンタリングアームは、記録媒体挿入口寄りの一端部が互いに近づいたり互いに離れたりするように、前記機器本体のシャーシに回転自在に支持されたアーム本体と、このアーム本体の記録媒体挿入口寄りの一端部から立設した突出ピンと、を備えている。
【０００８】
一対のリンクアームは、一端部がセンタリングアームのアーム本体の他端部と回転自在に連結している。連結ピンは、リンクアームの他端部同士を回転自在に連結しているとともに、前述した係合孔内に侵入している。コイルばねは、センタリングアームのアーム本体の前記一端部即ち突出ピンが互いに近づく方向に付勢している。
【０００９】
ディスクセンタリング機構は、センタリングアームがリンクアームなどによって、アーム本体が互いに連動して機器本体のシャーシに対し回転する。
【００１０】
再生ユニットは、互いに接離自在に設けられたキャリッジシャーシと、クランパとを備えている。キャリッジシャーシには、前記ＣＤを回転するために回転テーブルと、前記ＣＤに記録された情報を読み出すための光ピックアップ等が設けられている。クランパは、回転テーブルとの間にＣＤを挟んで、当該ＣＤをクランプする。再生ユニットは、前記ＣＤを前記再生位置に位置決め（クランプ）して、回転テーブルがＣＤを回転して、光ピックアップが前記ＣＤに記録された情報を読み出す。
【００１１】
また、前述した再生ユニットは、機器本体に取り付けられた弾性支持部材としてのダンパによって、機器本体に対して移動自在に設けられている。ダンパは、機器本体に対して再生ユニットを移動自在に支持するとともに、機器本体に対して再生ユニットが振動すると、当該再生ユニットの振動を徐々に減衰させる。
【００１２】
連動機構は、ＣＤを機器本体に出し入れする際には、搬送ユニットの一対の挟持部材同士を近づけて再生ユニットのキャリッジシャーシとクランパとを互いに遠ざけておく。連動機構は、ＣＤから情報を読み出す際には、搬送ユニットの一対の挟持部材同士を遠ざけて再生ユニットのキャリッジシャーシとクランパとを互いに近づける。このように、連動機構は、搬送ユニットと再生ユニットとを互いに連動させて動作させる。
【００１３】
前記ＣＤが記録媒体挿入口を通して機器本体内に挿入されると、まず、ＣＤがディスクセンタリング機構の突出ピンに接触する。そして、ＣＤが、互いに近づいた前記一対の挟持部材間に挟まれる。搬送ローラの回転によってＣＤが機器本体内に搬送されるのにしたがって、突出ピンが互いに離れる方向にアーム本体が徐々に回転する。一対のセンタリングアームの突出ピンは、前記再生位置にＣＤを案内する。こうして、情報処理装置は、ＣＤを機器本体外から再生位置に搬送してきた。
【００１４】
そして、連動機構が一対の挟持部材同士を遠ざけて、キャリッジシャーシとクランパとを互いに近づける。すると、ＣＤは再生ユニットにクランプされて、回転テーブルがＣＤを回転させて、該再生ユニットによって情報を取り出される。情報処理装置は、取り出された情報を音声として出力する。ＣＤを機器本体外に搬出する際には、まず、回転テーブルの回転を止める。搬送ユニットの搬送ローラを先ほどとは逆方向に回転させて、ＣＤを記録媒体挿入口内に通して機器本体内から機器本体外に徐々に搬送する。
【特許文献１】特開２０００−２０７８０２号公報
【発明の開示】
【発明が解決しようとする課題】
【００１５】
前述した特許文献１に示されたＣＤプレーヤは、突出ピンがアーム本体から立設して所謂片持ち状態となっているので、ＣＤが搬送ローラとディスクガイドとの間に挟まれると、突出ピンが変形するなどして、ディスクセンタリング機構が、所望の位置にＣＤを案内できないことがあった。
【００１６】
したがって、本発明の目的は、例えば、記録媒体を確実に機器本体内の所望の位置に案内できる情報処理装置を提供することにある。
【課題を解決するための手段】
【００１７】
前記課題を解決し目的を達成するために、請求項１に記載の本発明の情報処理装置は、記録媒体を機器本体内に出し入れして、この記録媒体に記録された情報を読み出す情報処理装置において、前記機器本体に対して変位自在に設けられた案内部材を有して、当該案内部材が前記記録媒体の移動方向を案内する案内部を備え、前記案内部材は、前記機器本体の一つの内面に変位自在に取り付けられる本体部と、前記本体部から立設して前記記録媒体の外縁と当接する案内ピンと、を備え、前記機器本体の前記一つの内面と相対する他の内面に設けられて、前記案内ピンの前記本体部から離れた側の先端部を支持して当該先端部の移動方向を案内するガイド部を備えたことを特徴としている。
【発明を実施するための最良の形態】
【００１８】
以下、本発明の一実施形態にかかる情報処理装置を説明する。本発明の一実施形態にかかる情報処理装置は、案内部の案内部材の本体部から立設した案内ピンの先端部を支持するガイド部を設けて、案内ピンの両端を本体部とガイド部とで支持することとなって、記録媒体が所望の位置から位置ずれしようとしても、案内ピンが変形することがガイド部によって防止される。したがって、記録媒体が搬送される際に、案内ピンが変形することなく、案内部が、所望の位置に記録媒体を案内することができる。
【００１９】
また、ガイド部が、レール部と、当該レール部に移動自在に設けられて案内ピンの先端部を支持するスライダとを備えても良い。この場合、ガイド部が、案内ピンの先端部を確実に移動自在に支持できるので、案内部が、所望の位置に記録媒体を確実に案内することができる。
【００２０】
さらに、幅方向に沿って間隔をあけて配置された案内部材の案内ピン同士を近づける方向に付勢する付勢手段を備えても良い。この場合、案内ピンが記録媒体の外縁に確実に接触でき、案内部が、所望の位置に記録媒体をより確実に案内することができる。
【実施例】
【００２１】
以下、本発明の実施例にかかる情報処理装置の一例としてのＣＤプレーヤ１を、図１ないし図１７に基づいて説明する。図１などに示すＣＤプレーヤ１は、移動体としての自動車のインストルメントパネル（以下、インパネと呼ぶ）などに取り付けられて、外径が例えば１２ｃｍの記録媒体としてのＣＤ２を後述する機器本体３内に収容して、該ＣＤ２に記録された情報を読み出して（再生して）音声として出力する。
【００２２】
なお、ＣＤ２は、勿論、ディスク形に形成されており、特許請求の範囲に記載された記録媒体をなしているとともに、円板状のコンピュータなどの電子機器で情報を読み取り可能な記録媒体である。
【００２３】
ＣＤプレーヤ１は、図１ないし図４に示すように、機器本体３（図１などに示す）と、駆動源としてのモータ４（図２などに示す）と、案内部８ａ（図２などに示す）と、搬送部としての搬送ユニット５（図２及び図３などに示す）と、再生部としての再生ユニット６（図２及び図３に示す）と、弾性支持部８ｂ（図２に示す）と、連動機構７（図３及び図４に示し、特許請求の範囲に記載された移動部に相当する）とを備えている。なお、以下、ＣＤ２の表面と搬送ユニット５のＣＤ２の搬送方向との双方と平行な図１中の矢印ＹをＣＤプレーヤ１の奥行き方向と記し、ＣＤ２の表面と平行でかつ前記奥行き方向Ｙと直交する矢印ＸをＣＤプレーヤ１の幅方向と記し、ＣＤ２の表面と奥行き方向Ｙと幅方向Ｘの全てと直交する矢印ＺをＣＤプレーヤ１の厚み方向と記す。
【００２４】
機器本体３は、外側ケース９（図１に示す）と、シャーシ１０（図２及び図３に示す）とを備えている。外側ケース９は、合成樹脂で構成され、かつ扁平な箱状に形成されている。外側ケース９は、ＣＤプレーヤ１の外殻をなしている。外側ケース９の前述したインパネに取り付けると乗員に相対する前面９ａ（図１に示す）には、ＣＤ２を出し入れ可能な挿入口１１が一つのみ設けられている。なお、前面９ａは、外側ケース９即ちＣＤプレーヤ１がインパネに取り付けられると、該インパネの外側に露出する機器本体３の一つの面である。
【００２５】
挿入口１１は、外側ケース９の外壁を貫通している。挿入口１１は、内側にＣＤ２を通すことができる。挿入口１１を通して、前記ＣＤ２は、外側ケース９則ち機器本体３内に収容されたり、該外側ケース９則ち機器本体３内から排出される。即ち、挿入口１１は、機器本体３の内外を連通して、機器本体３にＣＤ２を出し入れ自在とする。
【００２６】
さらに、前述した前面９ａには、表示パネルとしての蛍光表示管１２と、各種のスイッチ１３とが設けられている。
【００２７】
蛍光表示管１２は、前面９ａに露出して、使用者に対し各種の情報を表示する表示領域としての表示面を備えている。蛍光表示管１２は、表示面に再生中のプログラム名等の情報を表示する。
【００２８】
各種のスイッチ１３は、使用者が操作するための操作部を構成している。スイッチ１３が使用者などに操作されることによって、例えば、再生ユニット６が再生するＣＤ２のプログラムの選択や、このＣＤ２の出し入れなどが行われる。
【００２９】
シャーシ１０は、外側ケース９内に収容されているとともに、該外側ケース９に固定されている。シャーシ１０は、図３に示すように、底板部１４と、天井板１５と、中間板１６とを備えている。
【００３０】
底板部１４は、薄手の板金が折り曲げられるなどして構成され、かつ凹凸や孔などが形成された平板状に形成された底板１７と、該底板１７の外縁から立設した周板１８とを備えている。底板１７は、外側ケース９の底壁の内面上に重ねられる。周板１８は、三つ設けられ、底板１７の挿入口１１寄りの外縁を除く当該底板１７の外縁から立設して設けられている。周板１８は、勿論、外側ケース９の側壁の内面上に重ねられる。
【００３１】
天井板１５は、薄手の板金で構成され、かつ外側ケース９の天井壁の内面に重ねられている。天井板１５は、底板１７と間隔をあけて配置されている。また、天井板１５は、底板１７と間隔をあけて相対した状態で底板部１４に固定されている。
【００３２】
中間板１６は、薄手の板金が折り曲げられるなどして構成され、かつ略平板状に形成されている。中間板１６は、図３に示すように、底板１７と天井板１５との間に、これらと平行に配置されている。中間板１６は、機器本体３の幅方向Ｘの一方側としての図２中の右側の端部に設けられている。
【００３３】
モータ４は、シャーシ１０の底板部１４の底板１７に固定されているとともに、挿入口１１と図２中左側に位置する周板１８の近傍に配置されている。モータ４の出力軸には、勿論、ウォーム７２が取り付けられている。
【００３４】
案内部８ａは、挿入口１１の近傍に配置され、かつ、図４、図１６及び図１７に示すように、一対の案内部材１９と、付勢手段としてのコイルばね８０と、連動部材としての連動歯車２０と、ガイド部８１とを備えている。一対の案内部材１９は、それぞれ、板金などで構成され、帯板状に形成されている。一対の案内部材１９は、長手方向が幅方向Ｘと平行に配置され、かつ互いに奥行き方向Ｙに沿って互いに間隔をあけて配置されている。
【００３５】
一対の案内部材１９は、それぞれ、図１７中に二点鎖線で示す位置と実線で示す位置とに亘って、幅方向Ｘに沿ってスライド自在にシャーシ１０の底板部１４の底板１７（機器本体３の一つの内面に相当する）に支持されている。このように、案内部材１９は、幅方向Ｘに沿ってスライド自在に設けられることで、機器本体３に対して変位自在に設けられている。
【００３６】
一対の案内部材１９は、奥行き方向Ｙに沿って互いに相対した縁にラック部２１が形成された本体部８２と、挿入口１１の近傍に位置しかつ本体部８２の幅方向Ｘに沿って互いに離れた側の縁から立設した案内ピン２２とが設けられている。本体部８２は、勿論、底板１７に重ねられて、当該底板１７に幅方向Ｘに沿ってスライド自在（変位自在）に取り付けられている。
【００３７】
案内ピン２２は、円柱状に形成されている、案内ピン２２は、挿入口１１内を通して機器本体３の内外に出し入れされるＣＤ２の外縁と当接する。また、一対の案内部材１９の案内ピン２２は、幅方向Ｘに沿って互いに間隔をあけて配置されている。又、案内ピン２２には、当該案内ピン２２に回転自在なローラ８５が取り付けられている。
【００３８】
コイルばね８０は、一対の案内部材１９の案内ピン２２同士が近づく方向に、当該一対の案内部材１９同士を付勢している。連動歯車２０は、シャーシ１０の底板部１４の底板１７に回転自在に支持されている。連動歯車２０は、一対の案内部材１９の双方の本体部８２のラック部２１にかみ合っている。連動歯車２０は、底板１７に対して回転することで、一対の案内ピン２２が互いに接離するように、一対の案内部材１９を互いに連動させて幅方向Ｘに沿って移動させる。
【００３９】
ガイド部８１は、図１６及び図１７に示すように、一対のレール部としてのガイド孔８３と、一対のスライダ８４とを備えている、ガイド孔８３及びスライダ８４は、それぞれ、一つの案内部材１９と対応している。一対のガイド孔８３は、幅方向Ｘに沿って互いに間隔をあけて配置され、それぞれ、後述のディスクガイド２３を貫通している。ガイド孔８３は、それぞれ、幅方向Ｘに沿って直線状に延在している。このように、ガイド孔８３は、案内部材１９の移動方向に沿って直線状に延在している。ガイド孔８３は、内側に案内ピン２２の本体部８２から離れた側の先端部を通す。
【００４０】
スライダ８４は、ディスクガイド２３と同様の合成樹脂で構成され、円環状に形成されている。スライダ８４は、ガイド孔８３内に設けられて、当該ガイド孔８３に対して即ちディスクガイド２３に対して移動自在に設けられている。勿論、スライダ８４は、ガイド孔８３の長手方向即ち機器本体３の幅方向Ｘに沿って移動する。スライダ８４は、内側に案内ピン２２の前述した先端部が侵入して、当該案内ピン２２が取り付けられる。
【００４１】
前述したガイド部８１は、スライダ８４が案内ピン２２の先端部に取り付けられて、スライダ８４がガイド孔８３の長手方向に沿って移動自在に設けられることで、案内ピン２２の先端部を支持して当該案内ピン２２の先端部の移動方向を案内する。また、前述したガイド部８１は、ガイド孔８３がディスクガイド２３に設けられかつスライダ８４がガイド孔８３内に設けられることで、底板１７と相対する他の内面としての天井板１５に設けられている。
【００４２】
前述した案内部８ａは、挿入口１１内に挿入されたＣＤ２が案内ピン２２に回転自在に取り付けられたローラ８５に当接する。そして、案内部８ａは、機器本体３内にＣＤ２が挿入されるのにしたがって、コイルばね８０の付勢力に抗して、案内ピン２２が互いに離れる方向に、案内部材１９が移動する。そして、案内部８ａは、コイルばね８０の付勢力によって、機器本体３内に挿入されたＣＤ２を、ローラ８５を介して一対の案内ピン２２同士が近づく方向に押圧して、該ＣＤ２を機器本体３の中央に案内する。このように、案内部８ａは、案内部材１９の移動方向を案内する。
【００４３】
搬送ユニット５は、図１１及び図１２に示すように、ディスクガイド２３と、一対のローラアーム２４と、伝達歯車群２５とを備えている。ディスクガイド２３は、合成樹脂で構成されかつ帯板状に形成されている。ディスクガイド２３は、シャーシ１０の天井板１５の挿入口１１寄りの縁部に取り付けられている。ディスクガイド２３は、その長手方向が幅方向Ｘと平行に配置されている。
【００４４】
ローラアーム２４は、ディスクガイド２３と厚み方向Ｚに沿って間隔をあけて配置されている。ローラアーム２４は、その長手方向が前述した幅方向Ｘと平行に配置されている。一対のローラアーム２４は、奥行き方向Ｙに沿って互いに並べられている。挿入口１１寄りの一方のローラアーム２４は、その挿入口１１寄りの一端部が底板１７から立ち曲げられた支持片に形成された奥行きＹ方向に長い長穴と係合し、他方のローラアーム２４は、挿入口１１から離れた側の一端部を中心として回転自在にシャーシ１０の底板部１４の底板１７から立ち曲げられた支持片に形成された穴と係合している。一対のローラアーム２４は、互いに連結ピン２８により中央部が回動自在に連結されている。
【００４５】
一対のローラアーム２４は、それぞれ、他端部にモータ４によって回転駆動される搬送ローラ２６が、回転自在に取り付けられている。さらに、各搬送ローラ２６には、歯車２７が同軸に取り付けられている。歯車２７は、ローラアーム２４に回転自在に支持されている。搬送ローラ２６と歯車２７とは、互いに連動して（一体に）回転する。
【００４６】
さらに、一対のローラアーム２４は、その一端部と他端部との間の中央部が、連結ピン２８によって、互いに回転自在に連結されている。前述したローラアーム２４は、前述した一端部を中心として回転することで、他端部即ち搬送ローラ２６を厚み方向Ｚに沿って移動させる。また、一対のローラアーム２４は、図示しないねじりコイルばねによって、前記他端部即ち搬送ローラ２６がディスクガイド２３に近づく方向に付勢されている。さらに、一対のローラアーム２４は、連結ピン２８によって中央部が回転自在に連結されているので、他端部即ち搬送ローラ２６が同時にディスクガイド２３に対して接離する。
【００４７】
また、前述した一方のローラアーム２４の他端部の伝達歯車群２５側の端には、幅方向Ｘに沿って該伝達歯車群２５に向かって延在したカムピン２９（図４に示す）が立設している。
【００４８】
伝達歯車群２５は、モータ４とローラアーム２４との近傍に配置されている。伝達歯車群２５は、互いに噛み合った複数の歯車３０を備えている。これらの歯車３０は、モータ４とともにモータブラケットに取り付けられている。複数の歯車３０のうちひとつの歯車３０は、ローラアーム２４に回転自在に支持され、かつ搬送ローラ２６と同軸に配置された歯車２７間に配置されているとともに、これらの歯車２７と噛み合っている。また、残りの歯車３０は、（図示しない）モータブラケットに回転自在に支持されている。残りの歯車３０のうちの一つは、ウォーム７２と噛み合い、他の一つは、搬送ローラ２６と同軸に配置された歯車２７の一方と噛み合っている。前述した伝達歯車群２５は、モータ４の回転駆動力を搬送ローラ２６に伝達して、当該搬送ローラ２６を軸芯回りに回転させる。
【００４９】
また、ローラアーム２４に回転自在に支持された搬送ローラ２６とディスクガイド２３とは、ローラアーム２４が一端部を中心として回転することで、互いに接離自在に設けられている。搬送ユニット５は、ローラアーム２４に回転自在に支持された搬送ローラ２６とディスクガイド２３とが互いに近づいて、これらの間にＣＤ２を挟み込んで、搬送ローラ２６がモータ４に回転駆動されることで、ＣＤ２を機器本体３に出し入れする。即ち、搬送ローラ２６は、機器本体３の内外にＣＤ２を搬送する。搬送ユニット５は、ＣＤ２の両表面（奥行き方向Ｙ）と平行な方向（図１中に矢印で示し、特許請求の範囲に記載された出し入れ方向に相当し、以下、搬送方向と呼ぶ）に沿って、該ＣＤ２を搬送する。また、搬送ユニット５は、再生ユニット６がＣＤ２をクランプして該ＣＤ２の情報を読み取る際に、ローラアーム２４とディスクガイド２３とが互いに離れて、再生ユニット６の動作を妨げることがない。このように、搬送ユニット５は、機器本体３の内外にＣＤ２を搬送する。
【００５０】
再生ユニット６は、図２及び図３に示すように、クランパ３１（図３に示す）と、キャリッジシャーシ３２（図２に示す）と、回転テーブル３３と、光ピックアップ部３４（図２に示す）とを備えている。クランパ３１は、円板状に形成され、かつ天井板１５の中央に取り付けられている。
【００５１】
キャリッジシャーシ３２は、薄手の板金などで構成され、かつ中間板１６の側方でかつ底板１７と天井板１５との間に配置されている。キャリッジシャーシ３２は、弾性支持部８ｂによって、機器本体３に対して移動自在に設けられている。キャリッジシャーシ３２の挿入口１１寄りの端部には、奥行き方向Ｙに沿って挿入口１１に向かって延在したカムピン３５が立設している。
【００５２】
回転テーブル３３は、機器本体３の中央に配置され、かつクランパ３１と厚み方向Ｚに沿って間隔をあけて配置されている。回転テーブル３３は、キャリッジシャーシ３２に取り付けられた図示しないスピンドルモータによって、回転駆動される。回転テーブル３３は、クランパ３１との間にＣＤ２を挟む。そして、回転テーブル３３は、ＣＤ２の中央孔に係合して当該ＣＤ２を保持して、スピンドルモータ４によって回転されることで、ＣＤ２とともに回転される。なお、本明細書では、回転テーブル３３が中央孔に係合してスピンドルモータが回転可能なＣＤ２の位置を所定の位置としての再生位置とする。また、挿入口１１と前記再生位置との間は、ＣＤ２の搬送経路をなしている。
【００５３】
光ピックアップ部３４は、回転テーブル３３に接離自在に設けられている。光ピックアップ部３４は、回転テーブル３３に接離することで、ＣＤ２の所望の位置から情報を読み出す。
【００５４】
前述した再生ユニット６は、搬送ユニット５によって機器本体３内に挿入されたＣＤ２をキャリッジシャーシ３２とクランパ３１との間に一旦挟んで、当該ＣＤ２を回転テーブル３３に位置決めした後、ＣＤ２を回転テーブル３３が回転させて、当該ＣＤ２の情報を光ピックアップ部３４が読み出して再生する。
【００５５】
弾性支持部８ｂは、図９に示すように、複数のダンパ部材３６と、一つの移動部材としての弾性支持アーム３７と、を備えている。ダンパ部材３６は、ゴムなどの弾性変形自在な合成樹脂（即ち、弾性材料）で構成されている。ダンパ部材３６は、互いに間隔をあけてキャリッジシャーシ３２の外縁に取り付けられている。なお、図示例では、ダンパ部材３６は、三つ設けられている。ダンパ部材３６は、特許請求の範囲などに記載された弾性支持部材をなしている。
【００５６】
これら複数（三つ）のダンパ部材３６は、後述するように、底板１７や弾性支持アーム３７に取り付けられて、弾性変形することで、キャリッジシャーシ３２即ち再生ユニット６を機器本体３に対して移動自在に支持する。このように、弾性変形することで、キャリッジシャーシ３２即ち再生ユニット６を機器本体３に対して移動自在に支持することを、弾性支持するという。また、ダンパ部材３６は、前記自動車の走行中の振動などが機器本体３に作用すると、機器本体３に対してキャリッジシャーシ３２即ち再生ユニット６を移動させる。さらに、ダンパ部材３６は、弾性変形した際の弾性復元力によって、機器本体３に対してキャリッジシャーシ３２即ち再生ユニット６の振動（移動）を徐々に減衰させる。
【００５７】
これら複数（三つ）のダンパ部材３６のうちの挿入口１１から離れた側の二つの（最も挿入口１１寄りのダンパ部材３６を除く）ダンパ部材３６は、シャーシ１０の底板部１４の底板１７に固定されている。なお、最も挿入口１１寄りのダンパ部材３６は、キャリッジシャーシ３２の挿入口１１寄りの端部に取り付けられている。
【００５８】
弾性支持アーム３７は、板金などで構成され、かつ帯板状に形成されている。弾性支持アーム３７は、その長手方向が奥行き方向Ｙと平行に配置されている。弾性支持アーム３７は、複数のダンパ部材３６のうちの最も挿入口１１寄りのダンパ部材３６の近傍に配置されている。
【００５９】
弾性支持アーム３７は、挿入口１１から離れた側の一端部が中間板１６に回転自在に連結されている。弾性支持アーム３７は、挿入口１１寄りの他端部に最も挿入口１１寄りのダンパ部材３６を取り付けている。弾性支持アーム３７は、一端部を中心としてシャーシ１０の中間板１６に回転自在に連結されていることで、機器本体３に対して移動自在に設けられている。また、弾性支持アーム３７には、その長手方向の中央部から幅方向Ｘに沿ってキャリッジシャーシ３２から離れる方向にカムピン３８が立設している。
【００６０】
前述した弾性支持部８ｂは、ダンパ部材３６が弾性変形して、前記自動車の走行中の振動などによって機器本体３に対してキャリッジシャーシ３２即ち再生ユニット６を移動させることで、ＣＤ２に記録されている情報を読み出す作業に悪影響を与えることを防止する。
【００６１】
連動機構７は、図４ないし図８に示すように、一対の案内アーム３９と、リンク部４０と、スライドカム４１と、スライドラック４２と、昇降部４３と、付勢手段としての板ばね４４とを備えている。
【００６２】
一対の案内アーム３９は、合成樹脂で構成され、かつ幅方向Ｘに沿って互いに並べられている。案内アーム３９は、クランパ３１よりも挿入口１１から離れた側に配置されている。案内アーム３９は、幅方向Ｘの中央寄りの一端部を中心として、シャーシ１０の天井板１５に回転自在に支持されている。案内アーム３９の一端部には、互いに噛み合う歯車部４５が一体に設けられている。
【００６３】
案内アーム３９の他端部には、底板部１４の底板１７に向かって立設して、機器本体３内に挿入されるＣＤ２の外縁と当接する当接ピン４６が立設している。また、一対の案内アーム３９のうち図４中右側に位置する一方の案内アーム３９の一端部の外縁には、リンク棒４７が設けられている。リンク棒４７は、一方の案内アーム３９の一端部の外縁から当該一端部の外周方向に凸に形成されている。
【００６４】
前述した案内アーム３９は、他端部に設けられた当接ピン４６が互いに接離するように、一端部を中心として、互いに連動して回転する。また、案内アーム３９は、挿入口１１内に挿入されたＣＤ２が当接ピン４６に当接する。そして、案内アーム３９は、機器本体３内にＣＤ２が挿入されるのにしたがって、当接ピン４６が互いに離れる方向に、一端部を中心として互いに連動して回転する。そして、案内アーム３９は、機器本体３内に挿入されたＣＤ２を機器本体３の中央に案内する。
【００６５】
リンク部４０は、図４ないし図８に示すように、第１スライド部材４８と、リンク部材４９と、第２スライド部材５０とを備えている。第１スライド部材４８は、中間板１６の挿入口１１から離れた側の縁部上に設けられ、幅方向Ｘに沿ってスライド自在に中間板１６上に支持されている。第１スライド部材４８には、幅方向Ｘの中央寄りの一端部に一方の案内アーム３９のリンク棒４７と回転自在に係合した係合受け部５１が設けられ、かつ幅方向Ｘの中央部にリンク部材４９の一端部に設けられた後述するリンクピン５３と回転自在に係合した係合受け部５２が設けられている。
【００６６】
リンク部材４９は、薄手の板金で構成され、かつ平面形状がく字状に形成されている。リンク部材４９は、第１スライド部材４８よりも挿入口１１に寄りに配置され、当該第１スライド部材４８と奥行き方向Ｙに沿って並ぶ位置に配置されている。リンク部材４９は、その中央部を中心として回転自在に中間板１６に支持されている。リンク部材４９の両端部には、それぞれ、リンクピン５３が立設している。リンク部材４９の挿入口１１から離れた側の一端部に設けられたリンクピン５３は、第１スライド部材４８の係合受け部５２と回転自在に係合している。
【００６７】
第２スライド部材５０は、薄手の板金で構成され、かつ直線状に延在した帯板状に形成されている。第２スライド部材５０は、リンク部材４９の他端部に一端部が重なる状態で、その長手方向が奥行き方向Ｙと平行に配置されている。第２スライド部材５０は、中間板１６にその長手方向に沿ってスライド自在に支持されている。第２スライド部材５０は、挿入口１１から離れた側の一端部がリンク部材４９の他端部のリンクピン５３と連結している。第２スライド部材５０の挿入口１１寄りの他端部には、中間板１６を貫通して底板１７に向かって立設したリンクピン５４が立設している。第２スライド部材５０は、図示しないコイルばねによって、挿入口１１に向かって付勢されると同時にリンクピン５４を中心として図４中の反時計方向に付勢されている。
【００６８】
リンク部４０は、当接ピン４６同士が互いに離れる方向に一対の案内アーム３９が回転すると、リンク棒４７によって第１スライド部材４８が、機器本体３の中央寄りに引っ張られる。そして、リンク部４０は、当接ピン４６同士が互いに離れる方向の一対の案内アーム３９の回転に連動して、第１スライド部材４８が機器本体３の中央に向かって移動して、当該第１スライド部材４８の移動に連動して、リンク部材４９が中央部を中心として回転する。リンク部４０は、リンク部材４９の回転により、第２スライド部材５０の円弧状穴部と係合するリンクピン５３が当該円弧状穴部内を空走後、同穴の端部に当接してから第２スライド部材５０をコイルばねの付勢力に抗して、挿入口１１から離れる方向に移動する。
【００６９】
スライドカム４１は、絶縁性の合成樹脂で構成されている。スライドカム４１は、直線状に延在した棒状に形成されている。スライドカム４１は、図９に示すように、キャリッジシャーシ３２と第２スライド部材５０との間で、かつ中間板１６と底板１７との間に配置されている。スライドカム４１は、その長手方向が奥行き方向Ｙと平行に配置されている、スライドカム４１は、その長手方向に沿って移動自在に底板１７などに支持されている。
【００７０】
スライドカム４１には、図１０に示すように、キャリッジシャーシ３２と相対する側面にカム溝５５が設けられている。カム溝５５は、勿論、スライドカム４１の前記側面から凹に形成されている。カム溝５５は、スライドカム４１の挿入口１１寄りの一端部に設けられ、互いに連通したロード部５６と第１傾斜部５７とクランプ部５８と第２傾斜部５９と再生部６０とを備えている。
【００７１】
ロード部５６は、底板１７と天井板１５との双方と平行で、かつ奥行き方向Ｙに沿って直線状に形成されているとともに、スライドカム４１の厚み方向Ｚの底板１７寄りの縁部に設けられている。第１傾斜部５７は、ロード部５６に連なりかつロード部５６から挿入口１１に向かうにしたがって徐々に天井板１５に近づく方向に直線状に延在している。第１傾斜部５７の長手方向は、底板１７と天井板１５との双方に対して交差している。
【００７２】
クランプ部５８は、第１傾斜部５７に連なり、かつ底板１７と天井板１５との双方と平行であるとともに、奥行き方向Ｙに沿って直線状に形成されている。第２傾斜部５９は、クランプ部５８に連なりかつクランプ部５８から挿入口１１に向かうにしたがって徐々に底板１７に近づく方向に直線状に延在している。第２傾斜部５９の長手方向は、底板１７と天井板１５との双方に対して交差しているとともに、第１傾斜部５７よりも短く形成されている。再生部６０は、第２傾斜部５９に連なり、かつ底板１７と天井板１５との双方と平行であるとともに、奥行き方向Ｙに沿って直線状に形成されている。再生部６０は、ロード部５６よりも底板１７から離れた位置（厚み方向Ｚの中央寄り）に設けられている。
【００７３】
また、前述したスライドカム４１は、スライドラック４２が幅方向Ｘに沿って伝達歯車群２５に近づく方向に移動するのに連動して、奥行き方向Ｙに沿って挿入口１１から離れる方向に移動するように設けられている。また、スライドカム４１は、スライドラック４２が幅方向Ｘに沿って伝達歯車群２５から離れる方向に移動するのに連動して、奥行き方向Ｙに沿って挿入口１１に近づく方向に移動するように設けられている。
【００７４】
前述したスライドカム４１は、カム溝５５内に弾性支持アーム３７から立設したカムピン３８を位置付ける。そして、スライドカム４１は、奥行き方向Ｙに沿って移動することで、カムピン３８をカム溝５５内で移動させて、カムピン３８即ち弾性支持アーム３７を厚み方向Ｚに沿って移動させる。即ち、スライドカム４１は、奥行き方向Ｙに沿って移動することで、カムピン３８をカム溝５５内で移動させることで、弾性支持アーム３７及びダンパ部材３６とを介して、キャリッジシャーシ３２の挿入口１１寄りの端部を機器本体３の内面としての底板１７に対して接離させる。なお、接離とは、勿論、互いに近づいたり離れることをいう。
【００７５】
スライドラック４２は、絶縁性の合成樹脂で構成されている。スライドラック４２は、直線状に延在した棒状に形成されている。スライドラック４２は、キャリッジシャーシ３２と挿入口１１即ち搬送ローラ２６との間で、かつ底板１７上に配置されている。スライドラック４２は、その長手方向が幅方向Ｘと平行に配置されている、スライドラック４２は、その長手方向に沿って移動自在に底板１７などに支持されている。
【００７６】
スライドラック４２には、キャリッジシャーシ３２と相対する側面に前述したスライドカム４１のカム溝５５と同じ構成の図示しないカム溝が設けられている。このスライドラック４２に設けられたカム溝は、スライドカム４１に設けられたカム溝５５と同じ構成であるので、説明を省略する。このカム溝には、キャリッジシャーシ３２から立設したカムピン３５が侵入するとともに、当該カムピン３５が移動自在である。
【００７７】
また、スライドラック４２には、搬送ユニット５の伝達歯車群２５寄りの一端部にラック６１を一体に設け、かつ搬送ユニット５の伝達歯車群２５から離れた側の他端部に第２スライド部材５０の挿入口１１寄りの他端部から立設したリンクピン５４が侵入したカム溝６２が設けられている。
【００７８】
カム溝６２には、伝達歯車群２５から離れるのに、したがって徐々に挿入口１１に離れるように、幅方向Ｘと奥行き方向Ｙとの双方に対して傾斜した傾斜部が設けられている。
【００７９】
前述したスライドラック４２は、第２スライド部材５０が挿入口１１から離れる方向に移動すると、リンクピン５４がカム溝６２内を移動するとともに該リンクピン５４によってカム溝６２の内面が伝達歯車群２５に向かって押圧される。すると、スライドラック４２は、第２スライド部材５０が挿入口１１から離れる方向に移動するのに連動して、伝達歯車群２５に近づく方向に移動して、ラック６１が昇降部４３の後述する昇降用歯車６３と噛み合う。そして、スライドラック４２は、モータ４からの駆動力が昇降用歯車６３を介して伝えられて、当該駆動力によって伝達歯車群２５に近づく方向に移動される。
【００８０】
昇降部４３は、図４に示すように、複数の昇降用歯車６３と、回転部材６４と、スライドカム６５とを備えている。昇降用歯車６３は、スライドラック４２とモータ４の出力軸に取り付けられたウォーム７２との間に配置されている。昇降用歯車６３は、それぞれ、シャーシ１０の底板部１４の底板１７に回転自在に支持されているとともに、互いに噛み合って配置されている。一つの昇降用歯車６３は、モータ４出力軸に取り付けられたウォーム７２と噛み合っている。他の一つの昇降用歯車６３は、伝達歯車群２５に向かって移動したスライドラック４２のラック６１と噛み合うことが可能である。これらの昇降用歯車６３は、図示例では、三つ設けられている。これらの昇降用歯車６３は、モータ４によって、回転駆動される。そして、これらの昇降用歯車６３は、他の一つの昇降用歯車６３にラック６１が噛み合うと、スライドラック４２を幅方向Ｘに沿って移動させる。
【００８１】
回転部材６４は、スライドラック４２と周板１８との間に配置されている。回転部材６４は、挿入口１１寄りでかつ機器本体３の内側寄りの縁部を中心として回転自在に底板部１４の底板１７に支持されている。回転部材６４には、挿入口１１から離れた側の縁部から奥行き方向Ｙに沿って挿入口１１から離れる方向に立設した当接ピン６６と、周板１８寄りの縁部から幅方向Ｘに沿って周板１８に近づく方向に立設した係合ピン６７とが一体に設けられている。前述した回転部材６４は、伝達歯車群２５に近づいたスライドラック４２が当接ピン６６に当接して、当該当接ピン６６が周板１８に向かって押圧される。すると、回転部材６４は、当接ピン６６が周板１８に近づきかつ係合ピン６７が挿入口１１に近づく方向に回転する。
【００８２】
スライドカム６５は、搬送ユニット５と周板１８との間に設けられている。スライドカム６５は、図１１、図１２、図１８及び図１９に示すように、底板１７上に配置される底部６８と、該底部６８から厚み方向Ｚに沿って立設した立設部６９とを一体に備えている。底板部１４即ちスライドカム６５は、奥行き方向Ｙに沿って、移動自在に底板部１４の底板１７に支持されている。底板部１４には、回転部材６４の係合ピン６７が回転自在に係合した係合受け部７０が設けられている。
【００８３】
立設部６９には、カム孔７１（図１１、図１２及び図１８に示す）が設けられている。カム孔７１には、搬送ユニット５の一方のローラアーム２４の他端部から立設したカムピン２９が侵入するとともに、当該カムピン２９が移動自在である。カム孔７１は、挿入口１１に向かうにしたがって、徐々に底板１７から離れて天井板１５に近づく方向に直線状に延在している。カム孔７１の長手方向は、奥行き方向Ｙと厚み方向Ｚとの双方に対して交差している。また、カム孔７１は、挿入口１１側の端部の幅が他の部分の幅よりも広く形成されている。カム孔７１は、挿入口１１側の端部内では、カムピン２９を厚み方向Ｚに沿って移動自在とするとともに、搬送ローラ２６とディスクガイド２３との間にＣＤ２を挟ませる。即ち、カム孔７１は、搬送ローラ２６とディスクガイド２３との間にＣＤ２を挟むと、当該搬送ローラ２６を厚み方向Ｚに沿って移動自在とする、また、カムピン２９とスライドカムとには、カムピン２９をディスクガイド２３に向かって付勢する図示しないねじりコイルばねが取り付けられている。
【００８４】
スライドカム６５は、係合ピン６７が挿入口１１に近づく方向に回転部材６４が回転すると、該係合ピン６７とともに、挿入口１１に近づく方向に移動する。そして、スライドカム６５は、カム孔７１内でカムピン２９を移動させることで、ローラアーム２４の他端部即ち搬送ローラ２６を厚み方向Ｚに沿って移動させる。
【００８５】
前述した構成の昇降部４３は、伝達歯車群２５にスライドラック４２が近づくと、当該スライドラック４２のラック６１を昇降用歯車６３にかみ合わせて、当該スライドラック４２を伝達歯車群２５に近づく方向に移動させる。また、昇降部４３は、伝達歯車群２５に近づいたスライドラック４２によって回転部材６４の当接ピン６６が押圧されて、スライドカム６５が挿入口１１に近づく方向に移動する。そして、昇降部４３は、カムピン２９をスライドカム６５のカム孔７１内で移動させて、ローラアーム２４の他端部即ち搬送ローラ２６を徐々に底板１７に近づける。このように、昇降部４３は、ローラアーム２４の他端部即ち搬送ローラ２６を昇降させる。
【００８６】
板ばね４４は、一端部が中間板１６に取り付けられ、他端部がスライドカム４１上に位置付けられている。そして、板ばね４４は、再生状態となると、他端部がスライドカム４１の突起部即ち連動機構７の一部を底板１７に近づく方向に付勢する。板ばね４４は、スライドカム４１の突起部を底板１７に向かって付勢することで、この突起部がスライドカム４１内で弾性支持されているために、当該突起部がカムピン３８を底板１７に向かって押さえ、カムピン３８がカム溝５５の内壁を押さえて、スライドカム４１自体を底板１７に向かって押し付ける。こうして、板ばね４４は、少なくとも再生状態では、スライドカム４１即ち連動機構７が機器本体３に対してがたつくことを防止する。
【００８７】
前述した構成のＣＤプレーヤ１は、以下のように、ＣＤ２を機器本体３に出し入れする。まず、連動機構７は、ＣＤ２が機器本体３内に挿入される前では、図４に示すように、スライドカム４１を挿入口１１に最も近い位置に配置しかつスライドラック４２を伝達歯車群２５から最も離れた位置に配置するとともに、スライドカム６５を挿入口１１から最も離れた位置に配置する。そして、連動機構７は、図１３に示すように、カムピン３５，３８をカム溝５５のロード部５６内に位置付けて、弾性支持アーム３７即ちキャリッジシャーシ３２を最も機器本体３の内面としての底板１７寄りに位置付けるとともに、図１１に示すように、カムピン２９をカム孔７１の最も挿入口１１寄りでかつ底板１７から離れた側の端部内に位置付けて、搬送ローラ２６を最もディスクガイド２３に近づける即ち搬送ユニット５を厚み方向Ｚの機器本体３の中央に位置付けておく。
【００８８】
こうして、まず、連動機構７は、ＣＤ２が機器本体３内に挿入される前では、搬送ユニット５のディスクガイド２３とローラアーム２４の搬送ローラ２６とを互いに近づけ、キャリッジシャーシ３２とクランパ２１とを互いに遠ざけておく。さらに、ＣＤプレーヤ１は、案内部８ａの一対の案内部材１９を案内ピン２２同士が互いに最も近づいた状態に位置付けておくとともに、一対の案内アーム３９を当接ピン４６が挿入口１１寄りでかつこれら当接ピン４６同士が最も近づいた状態に位置付けておく。
【００８９】
そして、機器本体３内にＣＤ２が挿入されると、該ＣＤ２の外縁が案内部材１９の案内ピン２２に回転自在に取り付けられたローラ８５に当接して、該案内ピン２２同士が互いに離れる方向に、案内部材１９が押圧されるとともに、モータ４が駆動して、伝達歯車群２５の歯車３０などを介して、機器本体３内にＣＤ２を収容する方向に搬送ローラ２６を回転させる。このとき、スライドラック４２のラック６１と昇降用歯車６３とは、互いに間隔をあけて噛み合っていないので、昇降用歯車６３が空転している。そして、ＣＤ２がディスクガイド２３とローラアーム２４の搬送ローラ２６との間に挟まれて、搬送ローラ２６の回転によって、機器本体３内に収容されていく。ＣＤ２が機器本体３内に収容されるのに連動して、案内ピン２２に回転自在に取り付けられたローラ８５が当該ＣＤ２の外縁に当接するように、案内部材１９が幅方向Ｘに沿って移動する。
【００９０】
すると、図４に示すように、ＣＤ２の外縁が案内アーム３９の当接ピン４６に当接する。さらに、ＣＤ２を機器本体３内の奥に収容していくと、ＣＤプレーヤ１は、ＣＤ２の外縁によって押圧されて、当接ピン４６同士が離れる方向に案内アーム３９が回転される。そして、ＣＤプレーヤ１は、案内アーム３９の回転に連動して、第１スライド部材４８が幅方向Ｘに沿って機器本体３の中央に向かって移動し、第２スライド部材５０が奥行き方向Ｙに沿って挿入口１１から離れる方向に移動するとともに、カム溝６２内でリンクピン５４が移動することで、スライドラック４２が幅方向Ｘに沿って伝達歯車群２５に向かって移動される。
【００９１】
すると、図５に示すように、スライドラック４２のラック６１が昇降用歯車６３と噛み合う。そして、ＣＤ２が更に機器本体３の奥に収容されていくのに連動して、ＣＤプレーヤ１は、モータ４の駆動力によって、スライドラック４２を幅方向Ｘに沿って伝達歯車群２５に向かって移動する。このスライドラック４２の伝達歯車群２５への移動に連動して、スライドカム４１が、奥行き方向Ｙに沿って、挿入口１１から離れる方向に移動する。
【００９２】
そして、カム溝５５の第１傾斜部５７内などをカムピン３５，３８が移動して、キャリッジシャーシ３２が天井板１５に徐々に近づいて、図６に示すように、ＣＤ２の中央孔が回転テーブル３３とクランパ３１との間に位置する。
【００９３】
さらに、ＣＤプレーヤ１は、モータ４を駆動して、スライドラック４２を伝達歯車群２５に近づけるとともに、スライドカム４１を挿入口１１から離れる方向に移動する。すると、図１４に示すように、カムピン３５，３８がカム溝５５のクランプ部５８に位置付けられる。すると、キャリッジシャーシ３２がクランパ３１に最も近づいて、ＣＤ２の中央孔内に回転テーブル３３に設けたディスククランプ部が侵入するとともに、該回転テーブル３３とクランパ３１との間にＣＤ２を挟んで、当該ＣＤ２を回転テーブル３３上に保持する。
【００９４】
また、図７に示すように、スライドラック４２によって当接ピン６６が押圧されて、係合ピン６７が挿入口１１に近づく方向に、回転部材６４が回転する。すると、スライドカム６５が挿入口１１に向かって押圧されて、当該スライドカム６５が挿入口１１に徐々に近づく。すると、カムピン２９がスライドカム６５のカム孔７１内を底板１７寄りでかつ挿入口１１から離れた側の端部に向かって移動して、カムピン２９及びローラアーム２４の他端部即ち搬送ローラ２６が底板１７に向かって移動する。すると、勿論、搬送ローラ２６がディスクガイド２３即ちＣＤ２から離れる。
【００９５】
さらに、ＣＤプレーヤ１は、モータ４を駆動して、スライドラック４２を伝達歯車群２５に近づけるとともに、スライドカム４１を挿入口１１から離れる方向に移動する。このとき、搬送ローラ２６とＣＤ２とが互いに離れているので、搬送ローラ２６は、勿論、空転している。すると、カムピン３５，３８がカム溝５５の第２傾斜部５９内を移動して、キャリッジシャーシ３２が底板１７に徐々に近づけられるとともに、カムピン２９がカム孔７１の挿入口１１から離れた側の端部に向かって移動して、搬送ローラ２６が底板１７に徐々に近づけられる。
【００９６】
そして、図８及び図１５に示すように、カムピン３５，３８がカム溝５５の再生部６０内に位置付けられて、キャリッジシャーシ３２即ち再生ユニット６が機器本体３の厚み方向Ｚの中央に位置付けられるとともに、図１２に示すように、カムピン２９がカム孔７１の挿入口１１から離れた側の端部に位置付けられる。そして、搬送ローラ２６即ち搬送ユニット５が最も機器本体３の内面としての底板１７寄りに位置付けられた後、ＣＤプレーヤ１は、モータ４を停止する。なお、この状態では、案内部８ａの案内部材１９が互いに最も近づいているとともに、案内ピン２２がＣＤ２の外縁と間隔をあけている。
【００９７】
そして、ＣＤプレーヤ１は、スピンドルモータで回転テーブル３３を介してＣＤ２を回転させて、光ピックアップ部３４でＣＤ２の所望の箇所から情報を読み出して再生する。ＣＤプレーヤ１は、機器本体３内からＣＤ２を排出する際には、スピンドルモータを停止してＣＤ２からの情報の読み出しを停止した後、モータ４を先ほどと逆向きに駆動して、連動機構７などを動作させる。このように、ＣＤプレーヤ１は、連動機構７が、機器本体３にＣＤ２を出し入れする際に搬送ユニット５の搬送ローラ２６などを機器本体３の厚み方向Ｚの中央寄りに位置付けかつ弾性支持アーム３７を機器本体３の内面としての底板１７に近づけるとともに、再生ユニット６がＣＤ２から情報を読み出す際に搬送ユニット５の搬送ローラ２６などを機器本体３の内面としての底板１７寄りに位置付ける。
【００９８】
本実施例によれば、案内部８ａの案内部材１９の本体部８２から立設した案内ピン２２の先端部を支持するガイド部８１を設けて、案内ピン２２の両端を本体部８２とガイド部８１とで支持することとなる。このため、ＣＤ２が所望の位置から位置ずれしようとしても、案内ピン２２が変形することがガイド部８１によって防止される。したがって、ＣＤ２が搬送される際に、案内ピン２２が変形することなく、案内部８ａが、所望の位置にＣＤ２を案内することができる。
【００９９】
また、ガイド部８１が、ガイド孔８３と、当該ガイド孔８３に移動自在に設けられて案内ピン２２の先端部を支持するスライダ８４とを備えている。このため、ガイド部８１が、案内ピン２２の先端部を確実に移動自在に支持できるので、案内部８ａが、所望の位置にＣＤ２を確実に案内することができる。
【０１００】
さらに、幅方向Ｘに沿って間隔をあけて配置された案内部材１９の案内ピン２２同士を近づける方向に付勢するコイルばね８０を備えている。このため、案内ピン２２に回転自在に取り付けられたローラ８５がＣＤ２の外縁に確実に接触でき、案内部８ａが、所望の位置にＣＤ２をより確実に案内することができる。
【０１０１】
機器本体３に移動自在に設けられて、連動機構７によって機器本体に対して移動する弾性支持アーム３７に再生ユニット６のキャリッジシャーシ３２を弾性支持するダンパ部材３６を取り付けている。このように、弾性支持アーム３７自体を移動することで、再生ユニット６のキャリッジシャーシ３２の機器本体３に対する移動範囲を確保できるので、ダンパ部材３６の弾性変形可能な範囲を、ＣＤ２の出し入れ時に必要とされる再生ユニット６のキャリッジシャーシ３２の移動範囲よりも大きくする必要が生じない。したがって、ダンパ部材３６の小型化即ち機器本体３の薄型化を図ることができる。
【０１０２】
また、連動機構７の一部としてのスライドカム４１を付勢して、当該連動機構７ががたつくことを防止する板ばね４４を備えている。このため、弾性支持アーム３７を移動自在としても、連動機構７ががたついて異音を生じることを防止できる。
【０１０３】
さらに、連動機構７が、搬送ユニット５と再生ユニット６とを連動させて動作させている。このため、搬送ユニット５のＣＤ２の搬送動作を再生ユニット６が妨げることを防止でき、かつ再生ユニット６の再生動作を搬送ユニット５が妨げることを防止できる。
【０１０４】
また、案内ピン２２に回転自在に取り付けられてＣＤ２の外縁に当接するローラ８５と、ＣＤ２の至近距離に案内ピン２２の上端に大径のスライダ８４を設けることで、ＣＤ２の挿入抵抗を最少とすることが可能となる。同時に、ＣＤ２の挿排動作の信頼性を最大に高めることができる。更に、ＣＤ２が挿入口１１内に挿入されたことを検知するスイッチ類を底板１７側に配置することができるので、コストダウンを図ることができる。
【０１０５】
前述した実施例では、記録媒体として、ディスク形記録媒体としてのＣＤ２を示している。しかしながら、本発明では、例えば、記録媒体としてのＭＤ（Mini Disc）、ＤＶＤ（Digital VersatileDisc）などの他の記録媒体を用いても良い。また、本発明では、ディスク形に限らず種々の形状の記録媒体を用いても良い。
【０１０６】
また、前述した実施例では、記録媒体から情報を読み出す（情報を再生する）ＣＤプレーヤ１を示している。しかしながら、本発明では、記録媒体から情報を読み出す情報処理装置に限ることなく、例えば、情報を記録媒体に記録する記録装置や、情報の再生及び記録を行う情報記録再生装置としても適用可能しても良い。
【０１０７】
さらに、前述した実施例では、案内部材１９を一対設けているが、本発明では、案内部材１９を一つのみ又は三つ以上備えても良い。また、前述した実施例では、案内部材１９を幅方向Ｘに沿ってスライド自在に設けているが、本発明では、案内部材１９を機器本体３に回動自在に設けても良い。
【０１０８】
なお、前述した実施例は本発明の代表的な形態を示したに過ぎず、本発明は、実施例に限定されるものではない。即ち、本発明の骨子を逸脱しない範囲で種々変形して実施することができる。
【０１０９】
前述した実施例によれば、以下のＣＤプレーヤ１が得られる。
【０１１０】
（付記）  ＣＤ２を機器本体３内に出し入れして、このＣＤ２に記録された情報を読み出すＣＤプレーヤ１において、
前記機器本体３に対して変位自在に設けられた案内部材１９を有して、当該案内部材１９が前記ＣＤ２の移動方向を案内する案内部８ａを備え、
前記案内部材１９は、前記機器本体３の底板１７に変位自在に取り付けられる本体部８２と、前記本体部８２から立設して前記ＣＤ２の外縁と当接する案内ピン２２と、を備え、
前記機器本体３の前記底板１７と相対する天井板１５に設けられて、前記案内ピン２２の前記本体部８２から離れた側の先端部を支持して当該先端部の移動方向を案内するガイド部８１を備えたことを特徴とするＣＤプレーヤ１。
【０１１１】
付記に記載のＣＤプレーヤ１は、案内部８ａの案内部材１９の本体部８２から立設した案内ピン２２の先端部を支持するガイド部８１を設けて、案内ピン２２の両端を本体部８２とガイド部８１とで支持することとなる。このため、ＣＤ２  が所望の位置から位置ずれしようとしても、案内ピン２２が変形することがガイド部８１によって防止される。したがって、ＣＤ２が搬送される際に、案内ピン２２が変形することなく、案内部８ａが、所望の位置にＣＤ２を案内することができる。
【図面の簡単な説明】
【０１１２】
【図１】本発明の一実施例にかかる情報処理装置としてのＣＤプレーヤの外観を示す斜視図である。
【図２】図１に示されたＣＤプレーヤの主要構成部分を示す平面図である。
【図３】図２中のＩＩＩ−ＩＩＩ線に沿う断面図である。
【図４】図２に示されたＣＤプレーヤ内にＣＤが挿入され始めた状態を示す平面図である。
【図５】図４に示されたＣＤプレーヤの連動機構のスライドラックのラックが昇降用歯車と噛み合った状態を示す平面図である。
【図６】図５に示されたＣＤプレーヤのキャリッジシャーシが上昇し始めた状態を示す平面図である。
【図７】図６に示されたＣＤプレーヤのキャリッジシャーシが最も上昇した状態を示す平面図である。
【図８】図７に示されたＣＤプレーヤの搬送ローラが最も降下した状態を示す平面図である。
【図９】図８に示されたＣＤプレーヤの再生ユニットと弾性支持部を示す平面図である。
【図１０】図９に示されたＣＤプレーヤのスライドカムの図２中の左側からみた側面図である。
【図１１】図４に示されたＣＤプレーヤの搬送ユニットを示す側面図である。
【図１２】図８に示されたＣＤプレーヤの搬送ユニットを示す側面図である。
【図１３】図４に示されたＣＤプレーヤのスライドカムとキャリッジシャーシなどを示す側面図である。
【図１４】図７に示されたＣＤプレーヤのスライドカムとキャリッジシャーシなどを示す側面図である。
【図１５】図８に示されたＣＤプレーヤのスライドカムとキャリッジシャーシなどを示す側面図である。
【図１６】図２に示されたＣＤプレーヤの案内部の構成を示す斜視図である。
【図１７】図１６中のＸＶＩＩ−ＸＶＩＩ線に沿う断面を模式的に示す説明図である。
【図１８】図２に示されたＣＤプレーヤの案内部の昇降部のスライドカムの図２中の左側からみた側面図である。
【図１９】図１８に示されたスライドカムの平面図である。
【符号の説明】
【０１１３】
１  ＣＤプレーヤ（情報処理装置）
２  ＣＤ（記録媒体）
３  機器本体
８ａ  案内部
１５  天井板（他の内面）
１７  底板（一つの内面）
１９  案内部材
２２  案内ピン
８０  コイルばね（付勢手段）
８１  ガイド部
８２  本体部
８３  レール部
８４  スライダ
Ｘ  幅方向
【図１】
2008165909.tif 000003
【図２】
2008165909.tif 000004
【図３】
2008165909.tif 000005
【図４】
2008165909.tif 000006
【図５】
2008165909.tif 000007
【図６】
2008165909.tif 000008
【図７】
2008165909.tif 000009
【図８】
2008165909.tif 000010
【図９】
2008165909.tif 000011
【図１０】
2008165909.tif 000012
【図１１】
2008165909.tif 000013
【図１２】
2008165909.tif 000014
【図１３】
2008165909.tif 000015
【図１４】
2008165909.tif 000016
【図１５】
2008165909.tif 000017
【図１６】
2008165909.tif 000018
【図１７】
2008165909.tif 000019
【図１８】
2008165909.tif 000020
【図１９】
2008165909.tif 000021